(57)【要約】【課題】同一円周上に複数のインスツルメントを配置するようにするとともに、特定の一位置のインスツルメントのみを引き出し可能とし、切削具（刃物）によって術者の手指やインスツルメントホースが傷つけられないようにしたインスツルメントホルダを提供する。【解決手段】インスツルメントホルダ１０は、回転円柱体１１と該円柱体１１を回転自在に保持する固定基板１２とから成る。回転円柱体１１は、同心円上に配設された複数のインスツルメント挿通孔１１1〜１１6を有し、前記回転円柱体１１を回動して、所望のインスツルメントが、予め定められた所定の一位置（例えば、右端）から引き出し可能とした。【選択図】図１
2007282883.tif 000002
【特許請求の範囲】
【請求項１】
回転円柱体と、該回転円柱体の同心円上に配設された複数のインスツルメント挿通孔とを有し、前記回転円柱体を回動して、前記インスツルメントの所望の１つを、予め定められた所定の一位置から引き出し可能としたことを特徴とする歯科用インスツルメントホルダ。
【請求項２】
前記インスツルメント挿通孔の夫々に対して、該挿通孔の軸方向に移動可能なカバー部材を有し、インスツルメントが前記所定の一位置にない時は、該カバー部材によって前記インスツルメントの前記回転円柱体から突出した部分を覆っていることを特徴とする請求項１に記載の歯科用インスツルメントホルダ。
【請求項３】
前記カバー部材は、前記回転円柱体が回動されて、前記インスツルメントのいずれかが前記所定の一位置に配置された時に、前記インスツルメント挿通孔内に縮退されて当該インスツルメントを握持・引き出し可能とすることを特徴とする請求項２に記載の歯科用インスツルメントホルダ。
【請求項４】
前記回転円柱体の挿通孔にインスツルメントを挿通・配置した状態で、該回転円柱体の表面を覆う蓋部材を有し、該蓋部材は、前記所定の一位置に対応する部材のみが切り欠かれ、前記回転円柱体が回動されて前記インスツルメントのいずれか１が、前記切り欠き部に配置された時に、当該インスツルメントを握持・引き出し可能にすることを特徴とする請求項１に記載の歯科用インスツルメントホルダ。
【請求項５】
前記インスツルメントが接続されているインスツルメントホルダを着脱自在に装着するための接続端子を同心円上に有する回転部材を有し、該回転部材を前記回転円柱体と同期して回動させるようにしたことを特徴とする請求項１乃至４のいずれかに記載の歯科用インスツメントホルダ。
【請求項６】
同心円上に設けられた複数のインスツルメント挿通孔を有し、該インスツルメント挿通孔の夫々は、該挿通孔の軸方向に移動可能なカバー部材を有し、所望の１のインスツルメントに対応するカバー部材を前記インスツルメント挿通孔内に縮退させて、前記所定の１のインスツルメントを握持・引き出し可能とすることを特徴とする歯科用インスツルメントホルダ。
【請求項７】
同心円上に設けられた複数のインスツルメント挿通孔と、該インスツルメント挿通孔内にインスツルメントを挿通・配設した状態で前記インスツルメントを覆う回転可能な蓋部材を有し、該蓋部材は所定の一箇所に切り欠きを有し、回転された時に、該切り欠き部に相当する箇所に配設されている１のインスツルメントが前記切り欠き部より露出して握持・引き出し可能であることを特徴とする歯科用インスツルメントホルダ。
【発明の詳細な説明】
【技術分野】
【０００１】
本発明は、歯科用インスツルメントホルダ、より詳細には、周知の横置き配置のインスツルメントホルダ或いは縦置き配置のインスツルメントホルダに代え、複数のインスツルメントを同一円周上に配置可能な円形配置のインスツルメントホルダを用い、特定の一位置のみからのインスツルメントの引き出しを可能とし、診療時において使用頻度の高いインスツルメントを手元側にもってきて使用勝手をよくし、更には、特定の一位置以外のインスツルメントに対してはカバー或いは蓋をし、インスツルメントのヘッド部に取り付けられている刃物に術者の手指が触って術者が怪我をしたり、インスツルメントを引き出したりする時に、該インスツルメントが接続されているインスツルメントホースが隣接するインスツルメントのヘッド部に取り付けられている刃物に当って傷つけられてしまうのを防止するようにした歯科用インスツルメントホルダに関する。
【背景技術】
【０００２】
図６は、従来のインスツルメントホルダを有する歯科治療ユニットの一例を説明するための全体構成図で、該歯科治療ユニットは、歯科治療椅子１、ワークテーブル２、スピットン３、無影灯４、縦置き配置のインスツルメントホルダ５、インスツルメントホース６、フットスイッチ７等からなり、縦置き配置のインスツルメントホルダ５には、歯科治療において使用する種々のインスツルメント８が懸架されており、周知のように歯科治療に当たり、患者は歯科治療椅子１に座り、頭を安頭台１ａに固定して治療を受ける。治療中、術者は、歯科治療椅子１を上下動，倒起動，傾斜動等させて、患者を治療しやすい姿勢にして治療を行う。
【０００３】
図６には、インスツルメントホルダとして、インスツルメント８を垂直方向に懸架する縦置き式インスツルメントホルダ５を示したが、実際には、この縦置き式インスツルメントホルダ５に代って、図７に示すように、インスツルメント８を水平に載置する横置き式インスツルメントホルダ９も使用されており、いずれの形式のインスツルメントホルダを使用するかは、術者の選択によっている。
【０００４】
上述のごとき縦置き式インスツルメントホルダ５においても、或いは、横置き式インスツルメントホルダ９においても、一般には、インスツルメント８のヘッド部に切削具（刃物）８ａを装着した状態で懸架或いは載置されており、いずれの場合においても、施術に必要な所望のインスツルメントを引き出そうとして術者が手を伸ばした時に、術者の手指がインスツルメントのヘッド部に装着されている切削具８ａに当って、手指を傷つけてしまったり、所望のインスツルメントを引き出す時に、引き出したインスツルメントが接続されているインスツルメントホース６が隣接配置されているインスツルメントの切削具（刃物）に当って、該引き出したインスツルメントのインスツルメントホースが傷ついてしまう等の問題があった。
【発明の開示】
【発明が解決しようとする課題】
【０００５】
本発明は、上述のごとき実情に鑑みてなされたもので、特に、従来の横置き配置のインスツルメントホルダ或いは縦置き配置のインスツルメントホルダに代って、同一円周上に複数のインスツルメントを配置するようにするとともに、特定の一位置（使用勝手の良い位置）のインスツルメントのみを引き出し可能とし、更には、他の全てのインスツルメントに対してはカバー或いは蓋かけ可能とし、術者の使い勝手をよくするとともに、切削具（刃物）の付いたインスツルメントに対しては、該切削具（刃物）が術者の手指を傷つけないようにし、更には、インスツルメントを引き出す時或いは引き出したインスツルメントを戻す時に、該インスツルメントが接続されているインスツルメントホースが隣接配置されている他のインスツルメントのヘッド部に取り付けられている切削具によって傷つけられないようにしたインスツルメントホルダを提供することを目的としてなされたものである。
【課題を解決するための手段】
【０００６】
請求項１の発明は、回転円柱体と、該回転円柱体の同心円上に配設された複数のインスツルメント挿通孔とを有し、前記回転円柱体を回動して、前記インスツルメントの所望の１つを、予め定められた所定の一位置から引き出し可能としたことを特徴としたものである。
【０００７】
請求項２の発明は、請求項１の発明において、前記インスツルメント挿通孔の夫々に対して、該挿通孔の軸方向に移動可能なカバー部材を有し、インスツルメントが前記所定の一位置にない時は、該カバー部材によって前記インスツルメントの前記回転円柱体から突出した部分を覆っていることを特徴としたものである。
【０００８】
請求項３の発明は、請求項２の発明において、前記カバー部材は、前記回転円柱体が回動されて、前記インスツルメントのいずれかが前記所定の一位置に配置された時に、前記インスツルメント挿通孔内に縮退されて当該インスツルメントを握持・引き出し可能とすることを特徴としたものである。
【０００９】
請求項４の発明は、請求項１の発明において、前記回転円柱体の挿通孔にインスツルメントを挿通・配置した状態で、該回転円柱体の表面を覆う蓋部材を有し、該蓋部材は、前記所定の一位置に対応する部材のみが切り欠かれ、前記回転円柱体が回動されて前記インスツルメントのいずれか１が、前記切り欠き部に配置された時に、当該インスツルメントを握持・引き出し可能にすることを特徴としたものである。
【００１０】
請求項５の発明は、請求項１乃至４のいずれかの発明において、前記インスツルメントが接続されているインスツルメントホルダを着脱自在に装着するための接続端子を同心円上に有する回転部材を有し、該回転部材を前記回転円柱体と同期して回動させるようにしたことを特徴としたものである。
【００１１】
請求項６の発明は、同心円上に設けられた複数のインスツルメント挿通孔を有し、該インスツルメント挿通孔の夫々は、該挿通孔の軸方向に移動可能なカバー部材を有し、所望の１のインスツルメントに対応するカバー部材を前記インスツルメント挿通孔内に縮退させて、前記所定の１のインスツルメントを握持・引き出し可能とすることを特徴とするものである。
【００１２】
請求項７の発明は、同心円上に設けられた複数のインスツルメント挿通孔と、該インスツルメント挿通孔内にインスツルメントを挿通・配設した状態で前記インスツルメントを覆う回転可能な蓋部材を有し、該蓋部材は所定の一箇所に切り欠きを有し、回転された時に、該切り欠き部に相当する箇所に配設されている１のインスツルメントが前記切り欠き部より露出して握持・引き出し可能であることを特徴とするものである。
【発明の効果】
【００１３】
請求項１の発明は、回転円柱体と、該回転円柱体の同心円上に配設された複数のインスツルメント挿通孔とを有し、前記回転円柱体を回動して、前記インスツルメントの所望の１つを、予め定められた所定の一位置から引き出し可能としたので、例えば、前記所定の一位置を円周上の右端、或いは、左端、或いは、下端とすることによって、診療時、使用頻度の高いインスツルメントを取り出しやすい位置に持ってくるようにすることができ、更には、当該インスツルメントを引き出す時に、術者の手指が傷ついたり、引き出したインスツルメントのインスツルメントホースが傷つくような心配をすることなく、所望のインスツルメントを引き出して使用することができる。
【００１４】
請求項２の発明は、請求項１の発明において、前記インスツルメント挿通孔の夫々に対して、該挿通孔の軸方向に移動可能なカバー部材を有し、インスツルメントが前記所定の一位置にない時は、該カバー部材によって前記インスツルメントの前記回転円柱体から突出した部分を覆っているので、請求項１の発明に対して、更に確実に、術者の手指が傷ついたり、インスツルメントホースが傷ついたりするのを防止することができる。
【００１５】
請求項３の発明は、請求項２の発明において、前記カバー部材は、前記回転円柱体が回動されて、前記インスツルメントのいずれかが前記所定の一位置に配置された時に、前記インスツルメント挿通孔内に縮退されて当該インスツルメントを握持・引き出し可能としたので、請求項２の発明と同様、請求項１の発明に対して、更に確実に、術者の手指が傷ついたり、インスツルメントホースが傷ついたりするのを防止することができる。
【００１６】
請求項４の発明は、請求項１の発明において、前記回転円柱体の挿通孔にインスツルメントを挿通・配置した状態で、該回転円柱体の表面を覆う蓋部材を有し、該蓋部材は、前記所定の一位置に対応する部材のみが切り欠かれ、前記回転円柱体が回動されて前記インスツルメントのいずれか１が、前記切り欠き部に配置された時に、当該インスツルメントを握持・引き出し可能にしたので、使用しようとするインスツルメント以外のインスツルメントを覆うカバー部材（蓋部材）の構成をより簡単にして、なお、かつ、請求項２又は３と同様の作用効果を構成することができる。
【００１７】
請求項５の発明は、請求項１乃至４のいずれかの発明において、前記インスツルメントが接続されているインスツルメントホルダを着脱自在に装着するための接続端子を同心円上に有する回転部材を有し、該回転部材を前記回転円柱体と同期して回動させるようにしたので、インスツルメントホースの絡み合いがなく、使い勝手の良いインスツルメントホルダを提供することができる。
【００１８】
請求項６の発明は、同心円上に設けられた複数のインスツルメント挿通孔を有し、インスツルメント挿通孔の夫々は、該挿通孔の軸方向に移動可能なカバー部材を有し、所望の１のインスツルメントに対応するカバー部材を前記インスツルメント挿通孔内に引退させて、前記所定の１のインスツルメントを握持・引き出し可能としたので、請求項１乃至５の発明に対して、インスツルメントを回動しないようにしたので、構造が簡単で、かつ、インスツルメントホースの絡み合いがなく、しかも、術者の手指やインスツルメントホースを傷つける心配のないインスツルメントホルダを提供することができる。
【００１９】
請求項７の発明は、同心円上に設けられた複数のインスツルメント挿通孔と、該インスツルメント挿通孔内にインスツルメントを挿通・配設状態で前記インスツルメントを覆う、回転可能な蓋部材を有し、該蓋部材は所定の一箇所に切り欠きを有し、回転された時に、該切り欠き部に相当する箇所に配設されているインスツルメントが前記切り欠き部より露出して握持・引き出し可能としたので、請求項６の発明に対して、インスツルメントを覆うカバー部材（蓋部材）の構成を簡単にして、なおかつ、請求項６の発明と同様の作用効果を達成することができる。
【発明を実施するための最良の形態】
【００２０】
図１は、本発明による円形配置式の歯科用インスツルメントホルダの一実施例を説明するための要部概略構成図で、図中、２はワークテーブル、１０は本発明による円形配置式のインスツルメントホルダで、該インスツルメントホルダ１０は、円柱状の回転体１１と該回転円柱体１１を回転自在に支持する固定基板１２とから成り、前記回転円柱体１１には、同一円周上に複数本（図示例の場合、６本）の孔（インスツルメント挿通孔）１１1〜１１6が設けられており、各孔１１1〜１１6にインスツルメント８1〜８6が挿入・配置されるようになっている。
【００２１】
施術に当り、例えば、右利きの術者は、図示しない押し釦等を押すことにより、回転円柱体１１を矢印Ａ方向に回動し、使用しようとするインスツルメントが一番右側にくるように回転し、当該使用しようとしているインスツルメントが一番右側に来た時に、回転円柱体１１の回転を止め、当該一番右側にあるインスツルメントを右手で掴んで、引き出し、所定の施術を行う。このようにすると、使用しようとするインスツルメントを引き出そうとして、一番右側のインスツルメントに右手を差し出した時に、術者の右手が他のインスツルメントのヘッド部に装着されている切削具に当るようなことはなく、また、掴んだインスツルメントを右側前方に引き出すことにより、引き出されたインスツルメントのインスツルメントホース６が他のインスツルメントの切削具に当るようなこともない。
【００２２】
上述のように考えると、左利きの術者の場合は、使用しようとするインスツルメントが一番左側にくるように回転円柱体１１を回転すればよい。或いは、使用しようとするインスツルメントが一番下側にくるように、回転円柱体１１を回転するようにしてもよく、このようにすれば、右利きの術者にも左利きの術者にも対応することができる。
【００２３】
なお、右利きの術者に対しては、インスツルメントホルダ１０をワークテーブル２の左端側に配設し、左利きの術者に対しては、右端側に配設するようにすると、術者は、所望のインスツルメントをより効果的に引き出すことができ、該インスツルメントを引き出すに当り、手指を傷つけたり、引き出したインスツルメントのインスツルメントホースが他のインスツルメントに装着されている切削具によって傷つけたりする恐れが少なくなる。
【００２４】
本発明は、上述のように、回転円柱体１１を回転して、所望のインスツルメント（使用したいインスツルメント）が、一番右側、或いは、一番左側、或いは、下側にくるようにしたものであるが、各インスツルメント８1〜８6の先には、インスツルメントホース６（６1〜６6）が接続されており、上述のように回転円柱体１１を回転させると、これらインスツルメントホース６1〜６6が絡み合ってしまい、インスツルメントが引き出しにくくなる。そのため、インスツルメントホース６1〜６6の接続端子部９1〜９6をワークテーブル２の下面に設けられている回転基板２０の同一円周上に配設し、該回転基板２０を前記回転円柱体１１と同期して矢印Ｂ方向に回転させる。このようにすると、回転円柱体１１の回転に応じて回転基板２０も回転するので、回転円柱体１１をいかに回転しても、インスツルメントホースが絡み合うようなことはなく、インスツルメントの引き出しを容易に行うことができる。
【００２５】
図２は、本発明の他の実施例を説明するための要部概略構成図で、この実施例は、図１に示した回転円柱体１１の各インスツルメント挿通孔１１1〜１１6のまわりに、矢印Ｃ方向（挿通孔の軸方向）に移動可能なカバー部材１３1〜１３6を設け、例えば、右利きの術者の場合、一番右側にきたインスツルメント（図示例の場合、８1）に対するカバー部材（図示例の場合、１３1）を引っ込めると、当該インスツルメント（８1）が露出するので、当該インスツルメント（８1）を掴んで引き出すことができ、その際、他のインスツルメント（８2〜８6）の切削具はカバー部材によって覆われているので、術者の手指を傷つけたり、引き出したインスツルメントのインスツルメントホースを傷つけたりする恐れはない。
【００２６】
図３は、本発明の他の実施例を説明するための要部概略構成図で、この実施例は、単一の蓋部材１４を用い、この蓋部材１４の１箇所（例えば、前述の例で言えば、右端又は左端又は下端）に切り欠き１４ａを設け、この切り欠きを、例えば、右利きの術者の場合、一番右側にきたインスツルメントが露出するように、固定基板１２に配設したものである（なお、左利きの術者に対しては、一番左側にきたインスツルメントが露出するように配設する）。このようにすると、図２に示した実施例と同様、術者の手指や、引き出されたインスツルメントのインスツルメントホースが、他のインスツルメントに装着されている切削具によって、傷つくような恐れはない。
【００２７】
図４及び図５は、それぞれ本発明の他の実施例を説明するための要部概略構成図で、これらの実施例は、複数本のインスツルメントを同一円周上に配設するものであるが、これらインスツルメントが配設してある基板は固定してあり、図１乃至図３に示した実施例とは異なり、インスツルメントが配設してある基板は回転しない。従って、これらの実施例においては、インスツルメントホースが絡み合う心配はなく、図１に示したような、絡み付き防止用の回転基板２０は不要である。
【００２８】
図４に示した実施例は、図２に示した実施例と同様、各インスツルメント８1〜８6に対して、矢印Ｃ方向（軸方向）に移動可能なカバー部材１３1〜１３6が設けられているが、これらカバー部材１３1〜１３6は選択的に、例えば、１３1にて示すように、引っ込めることができる。従って、術者は、図示しない選択スイッチ等を押すことによって、使用したいインスツルメントを覆っているカバーを引っ込め、当該インスツルメントを露出させて、該インスツルメントの使用が可能になる。このようにすると、図２に示した実施例に対し、構成がより簡単になり、かつ、インスツルメントホースの絡み合い等がなく、使い勝手がよく、しかも、術者が手指を傷つけたり、インスツルメントホースを傷つけたりすることのないインスツルメントホルダを提供することができる。
【００２９】
図５に示した実施例は、図３に示した固定蓋部材１４を回転するようにし、インスツルメントを固定するようにしたもので（図３に示した実施例では、蓋部材１４が固定で、インスツルメント配設基板（回転円柱体）１１が回転する）、このようにすると、図４に示した実施例と同様、インスツルメントホースの絡み合い等がなく、使い勝手がよく、しかも、術者が手指を傷つけたり、インスツルメントホースを傷つけたりすることのないインスツルメントホルダを提供することができる。
【図面の簡単な説明】
【００３０】
【図１】本発明による歯科用インスツルメントホルダの一実施例を説明するための要部概略構成図である。
【図２】本発明の他の実施例を説明するための要部概略構成図である。
【図３】本発明の他の実施例を説明するための要部概略構成図である。
【図４】本発明の他の実施例を説明するための要部概略構成図である。
【図５】本発明の他の実施例を説明するための要部概略構成図である。
【図６】従来の縦置き配置のインスツメントホルダを有する歯科治療ユニットの一例を説明するための全体構成図である。
【図７】従来の横置き配置のインスツルメントホルダの一例を示す要部構成図である。
【符号の説明】
【００３１】
２…ワークテーブル、６（６1〜６6）…インスツルメントホース、８（８1〜８6）…インスツルメント、８ａ…切削具、９1〜９6…接続端子部、１０…円形配置のインスツルメントホルダ、１１…回転円柱体、１１1〜１１6…インスツルメント挿通孔、１２…固定基板、１３1〜１３6…カバー部材、１４…蓋部材、２０…回転基板。
【図１】
2007282883.tif 000003
【図２】
2007282883.tif 000004
【図３】
2007282883.tif 000005
【図４】
2007282883.tif 000006
【図５】
2007282883.tif 000007
【図６】
2007282883.tif 000008
【図７】
2007282883.tif 000009